(57)【要約】【課題】携帯時の収納性、使用時の組み立て容易性に優れ、特にアウトドア・アクティビティでの使用に好適な携帯ハンガーを提供することにある。【解決手段】２本の棒状部材（１０Ａ，１０Ｂ）の端部に設けられた凸状部と凹状部を使用時に継合せることで形成されるハンガー本体部（１０）と、前記２本の棒状部材に跨るように接続され、使用時に前記ハンガー本体部を水平姿勢で吊り下げるための紐部（２）と、前記紐部の中央部に位置されるフック部（３）と、を備えた構成とする。【選択図】図１
2018000932.tif 000002
【特許請求の範囲】
【請求項１】
２本の棒状部材の端部に設けられた凸状部と凹状部を使用時に継合せることで形成されるハンガー本体部と、前記２本の棒状部材に跨るように接続され、使用時に前記ハンガー本体部を水平姿勢で吊り下げるための紐部と、前記紐部の中央部に位置されるフック部と、を備えたことを特徴とする携帯ハンガー。
【請求項２】
前記ハンガー本体部を水平姿勢で吊り下げたときに前記紐部が形成する二等辺三角形の部分の大きさを調整するためのストッパー部をさらに備えていることを特徴とする請求項１に記載の携帯ハンガー。
【請求項３】
前記２本の棒状部材に跨る紐部の長さは、前記棒状部材の紐部の接続位置から端部までの長さに更に前記凸状部の長さを加えた長さと同じか、前記紐部を引っ張った際に紐部に生じる伸長分だけ短い長さに設定されていることを特徴とする請求項１又は２に記載の携帯ハンガー。
【発明の詳細な説明】
【技術分野】
【０００１】
本発明は、携帯時の収納性、使用時の組み立て容易性に優れた携帯ハンガーに関し、特に登山やキャンプ等のアウトドア・アクティビティでの使用に好適な携帯ハンガーに関する。
【背景技術】
【０００２】
例えば登山やキャンプ等のアウトドア・アクティビティでは、運搬負担等を軽くするために、装備品の重量は軽く収納容積は小さいことが望まれる。そのため、アウトドア・アクティビティにおいて便利な生活用品であっても、収納性が悪いという理由で装備品から外されるものがある。その一例が衣類等を吊るすハンガーである。
【０００３】
これまでの登山やキャンプ等のアウトドア・アクティビティでは、ハンガーを持ち歩く習慣が定着していない為、脱いだり洗濯したりした衣類等は、樹木の枝やテントの張綱など適当な物に吊り架けることが一般的に行われている。このような場合、風で飛ばされたり、吊り架けたところの汚れが衣類等に付着したりすることが時折起きる。また、洗濯物は、広げて干さなければ乾燥に時間がかかってしまう場合がある。
【０００４】
ところで、組み立て式又は折り畳み式にすることでコンパクトな収納を可能にした携帯ハンガーは、従来においても検討されている（特許文献１〜３）。しかしながら、従来における携帯ハンガーは、特許文献１及び２のように、伸縮構造や回動構造を採用しており、ハンガー自体の構造が複雑になる傾向にある。そのため、屋外での繰り返し使用による経年劣化の問題が懸念される。また、特許文献３の継合せ構造の場合、中央のパイプ（第２空洞パイプ）のみがチェーンで接続されているので、分解時（携帯時）にその他のパーツを散逸してしまう懸念がある。
【０００５】
さらに、特許文献３の継合せ構造の場合は、組み立てた後、ハンガー本体を下向きや斜めにして持つなど、持ち方を誤ると中央部の接合部分が離れて、ハンガー本体がバラバラになってしまう懸念がある。
【先行技術文献】
【特許文献】
【０００６】
【特許文献１】特開２００４−２２９８６３号公報
【特許文献２】実開昭６３−０４７７７４号公報
【特許文献３】特開２００４−２４８０９号公報
【発明の概要】
【発明が解決しようとする課題】
【０００７】
本発明は、上述した問題点を解決するためになされたものであり、その目的は、携帯時の収納性、使用時の組み立て容易性に優れ、特にアウトドア・アクティビティでの使用に好適な携帯ハンガーを提供することにある。
【０００８】
さらに、他の目的として、組み立て構造が簡素である上に、組み立てた後にハンガー本体がバラバラになってしまうことを防止可能な携帯ハンガーを提供することにある。
【課題を解決するための手段】
【０００９】
すなわち、本発明の要旨は以下の通りである。
（１）本発明の携帯ハンガーは、２本の棒状部材の端部に設けられた凸状部と凹状部を使用時に継合せることで形成されるハンガー本体部と、前記２本の棒状部材に跨るように接続され、使用時に前記ハンガー本体部を水平姿勢で吊り下げるための紐部と、前記紐部の中央部に位置されるフック部と、を備えたことを特徴とする。
（２）前記ハンガー本体部を水平姿勢で吊り下げたときに前記紐部が形成する二等辺三角形の部分の大きさを調整するためのストッパー部をさらに備えている構成とする。
（３）前記２本の棒状部材に跨る紐部の長さは、前記棒状部材の紐部の接続位置から端部までの長さに更に前記凸状部の長さを加えた長さと同じか、前記紐部を引っ張った際に紐部に生じる伸長分だけ短い長さに設定されている構成とする。
【発明の効果】
【００１０】
本発明の携帯ハンガーによれば、２本の棒状部材を継合せることによって一本物のハンガー本体部が形成される構成としたことにより、使用時に簡単に組み立てを行うことが可能であり、携帯時にはハンガー本体部を分割してコンパクトに収納することが可能になる。さらに、２本の棒状部材を紐部で接続していることにより、携帯ハンガーを構成する全てのパーツが紐部によって繋がっているので、収納時に一部のパーツを散逸してしまうことを防止できる。
【００１１】
また、前記ハンガー本体部を水平姿勢で吊り下げたときに前記紐部が形成する二等辺三角形の部分の大きさを調整するためのストッパー部をさらに備え、ストッパー部で二等辺三角形を小さくするようにすれば２本の棒状部材が互いに継ぎ合う方向に力を作用させることができる。その結果、２本の棒状部材の凸状部と凹状部を継合せるという簡素な組み立て構造であっても、組み立てた後にハンガー本体がバラバラになってしまうことを防止することができる。さらにまた、前記２本の棒状部材に跨る紐部の長さを、前記棒状部材の紐部の接続位置から端部までの長さに更に前記凸状部の長さを加えた長さと同じか、前記紐部を引っ張った際に紐部に生じる伸長分だけ短い長さに設定することによっても、同様の効果を得ることができる。
【図面の簡単な説明】
【００１２】
【図１】本発明の一実施形態に従う携帯ハンガーの使用時の斜視図である。
【図２】上記携帯ハンガーを分解した携帯時の様子を示す斜視図である。
【図３】上記携帯ハンガーの紐部の長さを説明するための図である。
【図４】上記携帯ハンガーのストッパー部を説明するための図である。
【図５】上記携帯ハンガーを組み立てる手順を示す図である。
【発明を実施するための形態】
【００１３】
本発明の好ましい実施形態に従う携帯ハンガーについて、添付図面を参照しながら詳しく説明する。但し、以下に説明する実施形態によって本発明の技術的範囲は何ら限定されることはない。
【００１４】
図１は、使用時における携帯ハンガー１の斜視図を示し、図２は、携帯時（すなわち未使用時）の携帯ハンガー１の斜視図を示す。使用時における携帯ハンガー１は、図１に示すように、継合せられた２本の棒状部材１０Ａ，１０Ｂにより一本物に形成されるハンガー本体部１０、ハンガー本体部１０を水平姿勢で吊り下げるための紐部２、ハンガー本体部１０を吊り下げた紐部２が二等辺三角形を形成するように中央部に位置合わせされたフック部３、紐部２が形成する二等辺三角形の部分の大きさを調整するためのストッパー部４を備えている。
【００１５】
棒状部材１０Ａ，１０Ｂには、好ましい一例として内部が空洞のパイプ材を採用することができる。このようにパイプ材を採用することで軽量化を図ることができる。パイプ材の材質としては、アルミニウム材或いはカーボン材を好ましい一例として挙げることができる。但し、衣類等を吊り下げる強度を満たしていればよく、棒状部材１０Ａ，１０Ｂの材質が限定されることはない。例えばプラスチック等の樹脂材を採用してもよい。
【００１６】
棒状部材１０Ａ，１０Ｂは、互いに外径が同じであり、さらにその外径を同じくする部分の長さも同じに設定している。一例として、外径を７ｍｍに、外径を同じくする長さを２３０ｍｍに設定することができる。この場合、両者を継ぎ合わせることで外径７ｍｍ継ぎ目が中央に位置する全長４６０ｍｍの一本物のハンガー本体部１０が形成されることになる。なお、一例として挙げた外径と長さは、上着、シャツ、タオルなどの衣類等を吊るすのに適した寸法であるが、吊るす対象物によっては適時変更することも可能である。また、棒状部材は、直線状以外の形状、例えば一部が湾曲した形状を含んでいてもよい。
【００１７】
棒状部材１０Ａ，１０Ｂの対向する端面は、詳しくは図２に示すように、一方の棒状部材１０Ａの方に円柱状部（すなわち凸状部）１１が形成されており、他方の棒状部材１０Ｂの方が筒状の空洞（すなわち凹状部）１２になっている。棒状部材１０Ａ，１０Ｂがパイプ材である場合、パイプ材自体が持つ空洞を凹状部として利用できる利点がある。円柱状部１１は、例えば棒状部材１０Ａと同じ材質で形成した円柱状の部材を棒状部材１０Ａの端面に固着することで形成することができる。円柱状部１１の長さは、一例として４０ｍｍに設定することができる。さらに、円柱状部１１の外径は、凹状部であるパイプ材の内周面と擦動する程度の径に設定されており、表面の摩擦抵抗によって継合せた両者を固定するようになっている。
【００１８】
説明を図１に戻すと、紐部２は、その両端が各棒状部材１０Ａ及び１０Ｂの中央部に接続されている。すなわち、２本の棒状部材１０Ａ及び１０Ｂに跨るように接続されている。棒状部材１０Ａ，１０Ｂがパイプ材である場合、図に示すように、棒状部材１０Ａ，１０Ｂの中央に円形の開口穴１３Ａ，１３Ｂを形成し、この開口穴１３Ａ，１３Ｂに通した紐２の端部に結び目を形成したり他の部材（不図示）を結んだりして抜けなくすることで棒状部材１０Ａ，１０Ｂと紐部２とを連結する。紐部２は、好ましくは繊維で編んだ紐を用いる。引っ張ったときに僅かに伸長する材料であれば、より好ましい。
【００１９】
フック部３は、２本の棒状部材１０Ａ，１０Ｂを跨ぐ紐部２の中央の位置に連結される。フック部の材質としては、例えばステンレス等の金属を採用することができる。同じくストッパー部４は、詳しくは図４の平面図に示すように、一例として樹脂材で扁平形状に形成され、上面から下面にまで貫通する２つの貫通孔を有する本体４１と、貫通孔に通した紐部２を貫通孔側壁に押圧するストッパー４２を備えている。すなわち、ストッパー４２を手で移動させることでストッパー機能を実行及び解除できる。このようなストッパー部４を備えたことにより、ストッパー部４を下方向にスライドさせて係止することで２本の棒状部材１０Ａ，１０Ｂが互いに継ぎ合う方向に力を作用させることができる。その結果、一旦組み立てたハンガー本体部１０がバラバラになってしまうのを防止できる。なお、ストッパー機能を有していれば図に例示した形状や材質に限られない。
【００２０】
また、図３に示すように、２本の棒状部材１０Ａ，１０Ｂを互いに離れる方向に開いた状態における２本の棒状部材１０Ａ，１０Ｂに跨る紐部２の長さは、同図に示されるように紐部２の接続位置（すなわち、開口穴１３Ａ，１３Ｂの位置）から端部（すなわち、継ぎ目）までの長さに更に円柱状部１１の長さを加えた長さと同じか、２本の棒状部材１０Ａ，１０Ｂを引っ張った際に紐部２に生じる伸長分だけ短い長さに設定されていることが好ましい。このような構成とすることにより、２本の棒状部材１０Ａ，１０Ｂが互いに離れる方向にずれたとしても、円柱状部１１の先端が他方の棒状部材１０Ｂの先端に引っ掛り、簡単には抜けない。その結果、一旦組み立てたハンガー本体部１０がバラバラになってしまうのを防止できる。
【００２１】
上述の携帯ハンガー１０は、携帯時においては図２に例示したように分解して例えばバックパックや収納鞄等に入れておく。そして使用時には、図５に例示するように円柱状部１０が他方の棒状部材１０Ｂの端面に相対するようにした後、スライド移動させて棒状部材１０Ａと棒状部材１０Ｂを連結する。そしてストッパー部４を下方向にスライド移動させて係止することで２本の棒状部材１０Ａ，１０Ｂが互いに継ぎ合う方向に力を作用させる。分解する場合は、これと逆の手順を実行する。
【００２２】
上述の実施形態に従う携帯ハンガー１によれば、２本の棒状部材１０Ａ，１０Ｂを継合せることによって一本物のハンガー本体部１０が形成される構成としたことにより、使用時に簡単に組み立てを行うことが可能であり、携帯時はハンガー本体部１０を分割してコンパクトに収納することが可能になる。さらに、２本の棒状部材１０Ａ，１０Ｂを紐部２で接続していることにより、携帯ハンガー１を構成する全てのパーツが紐部２によって繋がっているので、収納時にパーツの一部が散逸してしまうことを防止できる。
【００２３】
以上、本発明の具体的な実施形態に関して説明したが、本発明の範囲を逸脱しない限り様々な変形が可能であることは、当該技術分野における通常の知識を有する者にとって自明なことである。従って、本発明の技術的範囲は、上述した実施形態に限定されるものではなく、特許請求の範囲及びこれと均等なものに基づいて定められるべきである。
【符号の説明】
【００２４】
１    携帯ハンガー
１０Ａ，１０Ｂ  棒状部材
１１  円柱状部材（凸状部）
１２  筒状の空洞（凹状部）
２    紐部
３    フック部
４    ストッパー部  
【図１】
2018000932.tif 000003
【図２】
2018000932.tif 000004
【図３】
2018000932.tif 000005
【図４】
2018000932.tif 000006
【図５】
2018000932.tif 000007